(57)【要約】【課題】表示装置を装着するための専用設計を極力なくして、コストを削減し、かつ、保守容易性を向上する。【解決手段】ロボット２と、ロボット２を制御して複数の動作モードで動作させる制御装置３と、ロボット２に取り付けられ、制御装置３によって動作モードに応じた異なる態様で作動させられる表示装置４とを備え、表示装置４が、ロボット２の外表面に沿う形態に変形可能な可撓性を有するシート状のベース部と、ベース部に固定された１以上の表示部と、ベース部をロボットの外表面に取付状態に維持する固定具とを備えるロボットシステム１である。【選択図】図１
2019171528.tif 000002
【特許請求の範囲】
【請求項１】
ロボットと、
該ロボットを制御して複数の動作モードで動作させる制御装置と、
前記ロボットに取り付けられ、前記制御装置によって前記動作モードに応じた異なる態様で作動させられる表示装置とを備え、
該表示装置が、前記ロボットの外表面に沿う形態に変形可能な可撓性を有するシート状のベース部と、該ベース部に固定された１以上の表示部と、前記ベース部を前記ロボットの前記外表面に取付状態に維持する固定具とを備えるロボットシステム。
【請求項２】
前記表示部が発光部である請求項１に記載のロボットシステム。
【請求項３】
前記ベース部が、長尺のテープ状である請求項２に記載のロボットシステム。
【請求項４】
前記発光部が、前記ベース部の長手方向に間隔をあけて複数固定されている請求項３に記載のロボットシステム。
【請求項５】
前記発光部を被覆し、該発光部から発せられる光を透過しかつ可撓性を有する材料からなるカバーを備える請求項３または請求項４に記載のロボットシステム。
【請求項６】
前記カバーが、前記発光部から発せられる光を散乱させつつ導光する材料からなり、前記ベース部の長手方向に沿って延びている請求項５に記載のロボットシステム。
【請求項７】
前記ロボットがアームを備え、
前記ベース部が前記アームに全周にわたって巻き付けられている請求項３から請求項６のいずれかに記載のロボットシステム。
【請求項８】
前記表示装置と前記制御装置とを電気的に接続するケーブルを備え、
該ケーブルが、前記表示部近傍に、該ケーブルを分割可能に接続するコネクタを備える請求項１から請求項７のいずれかに記載のロボットシステム。
【請求項９】
前記固定具が、前記発光部を被覆する位置に配置され、該発光部から発せられる光を透過する弾性材料からなるカバーであり、弾発力によって前記ベース部を前記ロボットの前記外表面に固定する請求項２から請求項４のいずれかに記載のロボットシステム。
【請求項１０】
前記ロボットが、先端に手首を備えるアームを備え、
前記ベース部が、前記アームに周方向に沿って巻き付けられ、
前記カバーが、前記手首を通過させる大きさまで拡張可能かつ前記アームの外周寸法より短くなるまで収縮可能な環状に形成されている請求項９に記載のロボットシステム。
【請求項１１】
前記表示部が、単色発光可能なＬＥＤからなる請求項２から請求項１０のいずれかに記載のロボットシステム。
【請求項１２】
前記表示部が、複数色発光可能なＬＥＤからなる請求項２から請求項１０のいずれかに記載のロボットシステム。
【請求項１３】
前記ロボットが、前記外表面にネジ孔を備え、
前記固定具が、前記ネジ孔に締結可能なネジであり、
前記ベース部に、前記ネジを貫通可能な貫通孔が設けられている請求項１から請求項８のいずれかに記載のロボットシステム。
【請求項１４】
前記ロボットが、前記外表面に、前記ベース部を収容可能な凹部を備える請求項１から請求項１３のいずれかに記載のロボットシステム。
【請求項１５】
前記固定具が、前記ベース部と前記ロボットの前記外表面との間に配置され、前記ベース部を前記外表面に接着する粘着材である請求項１から請求項８のいずれかに記載のロボットシステム。
【発明の詳細な説明】
【技術分野】
【０００１】
本発明は、ロボットシステムに関するものである。
【背景技術】
【０００２】
可動部の動作状態を表示するために可動部に組み込まれた表示装置を備えるロボットが知られている（例えば、特許文献１参照。）。表示装置としては、可動部であるエンドエフェクタの全周を取り囲む位置に配置されるＬＥＤを備えるリングライトが示されている。
【先行技術文献】
【特許文献】
【０００３】
【特許文献１】特開２０１６−０４３４５７号公報
【発明の概要】
【発明が解決しようとする課題】
【０００４】
しかしながら、特許文献１のように、可動部に表示装置を組み込む場合、可動部を専用に設計する必要があり、大幅のコスト増加要因となる。また、表示装置に不具合が生じた場合に、交換および修理等の保守作業が困難であるという問題がある。
本発明は、表示装置を装着するための専用設計を極力なくして、コストを削減し、かつ、保守容易性を向上することができるロボットシステムを提供することを目的としている。
【課題を解決するための手段】
【０００５】
本発明の一態様は、ロボットと、該ロボットを制御して複数の動作モードで動作させる制御装置と、前記ロボットに取り付けられ、前記制御装置によって前記動作モードに応じた異なる態様で作動させられる表示装置とを備え、該表示装置が、前記ロボットの外表面に沿う形態に変形可能な可撓性を有するシート状のベース部と、該ベース部に固定された１以上の表示部と、前記ベース部を前記ロボットの前記外表面に取付状態に維持する固定具とを備えるロボットシステムである。
【０００６】
本態様によれば、制御装置によって所定の動作モードでロボットが動作させられる際に、制御装置がロボットの動作モードに応じた態様で表示装置を作動させる。表示装置はロボットの外表面に設けられているので、作業者は、表示装置の作動態様によって、ロボットの外側からロボットの動作モードを認識することができる。
【０００７】
この場合において、表示装置は、ベース部をロボットの外表面に沿う形態に変形させて固定具により外表面に取付状態に維持される。したがって、表示装置を装着するための専用設計を極力なくして、コストを削減することができる。また、表示装置にロボットの外側からアクセス可能として保守容易性を向上することができる。また、表示装置がロボットのアームに一体化されている場合には、交換時にアームを解体する必要があるので、保守が困難になる。本発明は、保守作業性は容易ではあるが、組み立て時に必ずアームに対して、ベース部をアームの外表面に取り付ける工程が必要になる。
【０００８】
上記態様においては、前記表示部が発光部であってもよい。
また、上記態様においては、前記ベース部が、長尺のテープ状であってもよい。
この構成により、ロボットの胴体、アームあるいはエンドエフェクタ等の任意の外表面に巻き付けることができる。
【０００９】
また、上記態様においては、前記発光部が、前記ベース部の長手方向に間隔をあけて複数固定されていてもよい。
この構成により、ロボットの胴体、アームあるいはエンドエフェクタ等の任意の外表面に巻き付けた際に、発光部から複数方向に光を発することができ、ロボットの周囲の作業者から表示内容を視認可能な範囲を広げることができる。
【００１０】
また、上記態様においては、前記発光部を被覆し、該発光部から発せられる光を透過しかつ可撓性を有する材料からなるカバーを備えていてもよい。
この構成により、カバーによって発光部を保護することができる。また、カバーを装着することにより、凹凸形状の急激な変化を鈍らせ、比較的滑らかな凹凸形状にすることができる。これにより、この部位が人と接触した場合においても、エッジ部位にて人が負傷するリスクをさらに低減することができる。また、カバーは、表示装置を周辺機器との衝突から保護する効果も備えており、カバーが周辺機器と衝突し、カバーが破損したとしても、カバーだけを容易に交換することができる。
【００１１】
また、上記態様においては、前記カバーが、前記発光部から発せられる光を散乱させつつ導光する材料からなり、前記ベース部の長手方向に沿って延びていてもよい。
この構成により、発光部から発せられた光がカバー内部を導光される間に散乱させられるので、発光部の数が少なくてもロボットの周囲の広い範囲から表示内容を視認することができる。
【００１２】
また、上記態様においては、前記ロボットがアームを備え、前記ベース部が前記アームに全周にわたって巻き付けられていてもよい。
この構成により、アームの姿勢にかかわらず、ロボットの周囲の広い範囲から表示内容を視認することができる。この場合、アームにはベース部を巻き付ける工程が必要になる。
【００１３】
また、上記態様においては、前記表示装置と前記制御装置とを電気的に接続するケーブルを備え、該ケーブルが、前記表示部近傍に、該ケーブルを分割可能に接続するコネクタを備えていてもよい。
この構成により、表示装置に不具合が生じた場合に、コネクタから先端側のみを交換することができ、保守を容易にすることができる。
【００１４】
また、上記態様においては、前記固定具が、前記発光部を被覆する位置に配置され、該発光部から発せられる光を透過する弾性材料からなるカバーであり、弾発力によって前記ベース部を前記ロボットの前記外表面に固定してもよい。
この構成により、ベース部を変形させてロボットの外表面に沿わせ、発光部を覆うカバーを被せることにより、カバーの弾発力によって容易にベース部を外表面に固定することができる。また、カバーを取り外す方向に力を加えるだけでベース部を外表面から取り外すこともでき、着脱を容易にすることができる。
【００１５】
また、上記態様においては、前記ロボットが、先端に手首を備えるアームを備え、前記ベース部が、前記アームに周方向に沿って巻き付けられ、前記カバーが、前記手首を通過させる大きさまで拡張可能かつ前記アームの外周寸法より短くなるまで収縮可能な環状に形成されていてもよい。
この構成により、環状のカバーを拡張させる方向に力を加えて、カバー内に手首を通過させ、アームの周方向に巻き付けられたベース部の径方向外方から発光部を覆うようにカバーを配置して力を解放することにより、カバーを弾性復元力によって収縮させる。これにより、ベース部がカバーの弾発力によってアームの外表面に押し付けられ、簡易に固定される。また、この場合、手首を通過可能な大きさまでカバーを拡張する工程と、手首にカバーを通過させる工程と、カバーを弾性復元力で収縮させてアームの外表面に固定する工程とが必要になる。
【００１６】
また、上記態様においては、前記表示部が、単色発光可能なＬＥＤからなっていてもよい。
この構成により、表示部の発光パターンを異ならせることによって複数の動作モードを表示することができる。
【００１７】
また、上記態様においては、前記表示部が、複数色発光可能なＬＥＤからなっていてもよい。
この構成により、表示部の発光パターンに加え、色を組み合わせることにより、さらに多くの動作モードを表示することができる。
【００１８】
また、上記態様においては、前記ロボットが、前記外表面にネジ孔を備え、前記固定具が、前記ネジ孔に締結可能なネジであり、前記ベース部に、前記ネジを貫通可能な貫通孔が設けられていてもよい。
この構成により、表示装置を装着するための最低限の構成であるネジ孔を加工するだけなので、コストを削減することができる。ベース部に設けた貫通孔を貫通させたネジをネジ孔に締結することにより、ベース部を確実にロボットの外表面に固定することができる。
【００１９】
また、上記態様においては、前記ロボットが、前記外表面に、前記ベース部を収容可能な凹部を備えていてもよい。
この構成により、ベース部を凹部内に収容して、発光部の外表面からの突出を低減することができる。
【００２０】
また、上記態様においては、前記固定具が、前記ベース部と前記ロボットの前記外表面との間に配置され、前記ベース部を前記外表面に接着する粘着材であってもよい。
この構成により、粘着材による粘着力によって、ベース部をロボットの外表面に接着し、簡易に固定することができる。
【発明の効果】
【００２１】
本発明によれば、表示装置を装着するための専用設計を極力なくして、コストを削減し、かつ、保守容易性を向上することができるという効果を奏する。
【図面の簡単な説明】
【００２２】
【図１】本発明の一実施形態に係るロボットシステムを示す全体構成図である。
【図２】図１のロボットシステムに備えられる表示装置の一例を示す斜視図である。
【図３】図２の表示装置をロボットの前腕の外表面に巻き付ける操作を説明する部分的な斜視図である。
【図４】図３によって、表示装置をロボットの前腕の外表面に巻き付けた状態に固定し、ケーブルを接続した状態を示す部分的な斜視図である。
【図５】図２の表示装置の変形例を示す斜視図である。
【図６】図２の表示装置を固定する固定具の変形例を拡張させてロボットの前腕に取り付ける作業を説明する部分的な斜視図である。
【図７】図６の固定具を収縮させて表示装置を被覆する操作を説明する部分的な斜視図である。
【図８】図７の固定具により表示装置を被覆してロボットの前腕に取り付けた状態を示す部分的な斜視図である。
【図９】図２の表示装置の変形例および固定具の変形例を示す部分的な斜視図である。
【図１０】図９の表示装置をロボットの前腕に固定した状態を示す部分的な斜視図である。
【図１１】図１の表示装置を装着するロボットの外表面に施された溝を示す部分的な斜視図である。
【図１２】図１１の溝内に表示装置が装着された状態を示す部分的な縦断面図である。
【図１３】図１２の表示装置をカバーによって被覆する場合を説明する部分的な縦断面図である。
【発明を実施するための形態】
【００２３】
本発明の一実施形態に係るロボットシステム１について、図面を参照して以下に説明する。
本実施形態に係るロボットシステム１は、図１に示されるように、ロボット２と、該ロボット２を制御する制御装置３と、ロボット２に取り付けられた表示装置４とを備えている。
【００２４】
ロボット２は、任意の構造のものでよいが、図１に示す例では、６軸多関節型のロボットである。本実施形態においては、人と同じ作業領域を共有して動作する協働ロボットを例に挙げて説明する。
【００２５】
ロボット２は、例えば、自動運転モード、協働運転モード、通常の教示（オンライン・ティーチ）モード、直接教示（ダイレクト・ティーチ）並進高速動作モード、直接教示（ダイレクト・ティーチ）並進低速動作モード、直接教示（ダイレクト・ティーチ）各軸回転高速動作モード、直接教示（ダイレクト・ティーチ）各軸回転低速動作モード、ティーチ・プレイバック確認モードおよび停止モードの９つの動作モードで制御装置３によって制御される。なおこれらの動作モードおよび動作パターンはあくまでも一例であり、他の動作モードや動作パターンが存在してもよいし、全ての動作モードや動作パターンが存在していなくてもよい。
【００２６】
自動運転モードは、ロボット２が、予めプログラミングされた動作を最大速度で連続運転するモードである。協働する作業者がロボット２の動作範囲に接近しない場合にはこの動作モードが保たれる。
【００２７】
協働運転モードは、自動運転モードにおいて協働する作業者がロボット２の動作範囲に接近したことが、エリアセンサ等によって検出された場合に実施されるモードである。この協働運転モードでは、ロボット２は、万一、作業者に接触した場合でも作業者が負傷することのない低い速度に動作速度を変更して動作し続ける。
【００２８】
通常の教示（オンライン・ティーチ）モードは、ロボット２を教示するときに実行されるモードであり、作業者は教示操作盤を操作してロボット２を間接的に動作させて教示点の教示を行う。通常の教示（オンライン・ティーチ）モードでは、作業者はロボット２の動作範囲外の遠方からでも教示を行うことができる。
【００２９】
直接教示（ダイレクト・ティーチ）並進高速動作モードは、通常の教示（オンライン・ティーチ）モードと同様ロボット２を教示するときに実行されるモードであるが、作業者はロボット２に直接力を作用させて誘導し、教示点の教示を行う（ダイレクトティーチ）。作業者はロボット２の動作範囲内でロボット２に近接して教示を行うので、速度が所定以上に絶対上がらない等の対処が必要とされるモードである。このモードでは、最大速度は５０ｍｍ／ｓｅｃまでしか誘導動作速度を上げることはできず、かつ並進動作の誘導動作しか行えない。並進動作とは、ロボット２のＴＣＰ（ＴＯＯＬ  ＣＥＮＴＥＲ  ＰＯＩＮＴ）が直線状に動く動作のことである。ＴＣＰが直線状に動くように、各軸の回転量が制御される。
【００３０】
直接教示（ダイレクト・ティーチ）並進低速動作モードでは、最大速度は１０ｍｍ／ｓｅｃまでしか誘導動作速度を上げることはできず、かつ並進動作の誘導動作しか行えない。
直接教示（ダイレクト・ティーチ）各軸回転高速動作モードでは、各軸の最大速度は２０°／ｓｅｃまでしか誘導動作速度を上げることはできず、かつ各軸は回転動作の誘導動作しか行えない。
【００３１】
直接教示（ダイレクト・ティーチ）各軸回転低速動作モードでは、各軸の最大速度は５°／ｓｅｃまでしか誘導動作速度を上げることはできず、かつ各軸は回転動作の誘導動作しか行えない。
ティーチ・プレイバック確認モードは、教示完了後の動作確認時のロボット運転モードである。
停止モードは、非常停止等により停止しており、サーボモータの励磁が落ちていて、リセット指令を行わないとロボット２を動作させることができないモードである。
【００３２】
表示装置４は、図２に示されるように、可撓性を有するテープ状のベース部６の一面に、ベース部６の長手方向に間隔をあけて複数取り付けられたＬＥＤ光源（ＬＥＤ、発光部、表示部）７を備えている。ベース部６にはコネクタ８が固定され、コネクタ８と各ＬＥＤ光源７との間には電力を供給する図示しない配線（ケーブル）が接続されている。ベース部６は、例えば、フレキシブルプリント基板（ＦＰＣ）である。
【００３３】
ベース部６は、例えば、図２に示されるように、ロボット２の前腕５を全周にわたって取り囲むことができる程度の長さを有している。ベース部６のＬＥＤ光源７が設けられていない側の表面には粘着テープ（粘着材、固定具）９が設けられている。
表示装置４は、図３に示されるように、ロボット２の前腕５の長手方向の任意の位置において、ベース部６を湾曲させることにより、図４に示されるように、前腕５の外表面にベース部６を沿わせた状態で、粘着テープ９によって前腕５の外表面を全周にわたって取り囲む位置に接着される。これにより、表示装置４に備えられた複数のＬＥＤ光源７が、前腕５の周方向に間隔をあけて全周にわたって配置される。
【００３４】
ロボット２には、ロボット２を動作させるため、あるいは、ロボット２の先端に取り付けた電動機材を作動させるためのケーブル（図示略）が、ロボット２のベース１１からロボット２の内部空間あるいは外表面に沿って配線されている。ＬＥＤ光源７に接続するケーブル１０は、図４に示されるように、上記のケーブルとともに配線され、ベース部６に固定されているコネクタ８に取り外し可能に接続される。
【００３５】
これにより、制御装置３と表示装置４とがケーブル１０によって接続され、制御装置３からの信号に基づいて、動作モード毎に異なる動作パターンでＬＥＤ光源７が作動させられる。
例えば、自動運転モードでは、ＬＥＤ光源７が緑色に発光させられ、周方向に並ぶＬＥＤ光源７が一つおきに点灯と消灯とを２秒間隔で交互に繰り返す動作パターンで作動させられる。
【００３６】
例えば、協働運転モードでは、ＬＥＤ光源７が緑色に発光させられ、周方向に並ぶＬＥＤ光源７が一つおきに点灯と消灯とを０．５秒間隔で交互に繰り返す動作パターンで作動させられる。
例えば、通常の教示（オンライン・ティーチ）モードでは、ＬＥＤ光源７が青色に発光させられ、全てのＬＥＤ光源７が点灯したままの状態に維持される。
【００３７】
例えば、直接教示（オンライン・ティーチ）モードでは、ＬＥＤ光源７が青色に発光させられ、周方向に並ぶＬＥＤ光源７が一つおきに点灯と消灯とを０．５秒間隔で交互に繰り返す動作パターンで作動させられる。
例えば、直接教示（ダイレクト・ティーチ）並進低速動作モードでは、ＬＥＤ光源７が青色に発光させられ、周方向に並ぶＬＥＤ光源７が一つおきに点灯と消灯とを１秒間隔で交互に繰り返す動作パターンで作動させられる。
【００３８】
例えば、直接教示（ダイレクト・ティーチ）各軸回転高速動作モードでは、ＬＥＤ光源７が青色に発光させられ、周方向に並ぶＬＥＤ光源７が一つだけの消灯部位があり、その部位が０．５秒間隔で隣に移動し、結果として前腕５の周りを消灯部位が一定周期で回転しているように見える動作パターンで作動させられる。
【００３９】
例えば、直接教示（ダイレクト・ティーチ）各軸回転低速動作モードでは、ＬＥＤ光源７が青色に発光させられ、周方向に並ぶＬＥＤ光源７が一つだけの消灯部位があり、その部位が１秒間隔で隣に移動し、結果として前腕５の周りを消灯部位が一定周期で回転しているように見える動作パターンで作動させられる。
【００４０】
例えば、ティーチ・プレイバック確認モードでは、ＬＥＤ光源７が白色に発光させられ、周方向に並ぶＬＥＤ光源７が一つおきに点灯と消灯とを０．５秒間隔で交互に繰り返す動作パターンで作動させられる。
例えば、停止モードでは、ＬＥＤ光源７が赤色に発光させられ、全てのＬＥＤ光源７が点灯したままの状態に維持される。
【００４１】
また、例えば、通常の教示（オンライン・ティーチ）モードや直接教示（ダイレクト・ティーチ）並進高速動作モードで教示中に、ロボット２が動作範囲の到達限界領域に近づいた際には、ＬＥＤ光源７が青色に発光させられ、周方向に並ぶＬＥＤ光源７が一つおきに点灯と消灯とを０．２秒間隔で交互に繰り返す動作パターンで作動させられ、同じ方向に移動させると、ロボット２が動作範囲外にでるため、動けなくなる旨を作業者に知らせる。
【００４２】
このように構成された本実施形態に係るロボットシステム１によれば、ロボット２の前腕５に装着された表示装置４が、制御装置３によって、ロボット２の動作モードに応じた異なる動作パターンで作動させられることにより、協働する作業者がロボット２の外側からロボット２の動作モードを認識することができる。
【００４３】
この場合において、本実施形態においては、ロボット２の組み立て時に表示装置４のベース部６を前腕５の外表面全周にわたって巻き付けている（取り付けている）ので、ＬＥＤ光源７から発せられる光を全方位に満遍なく射出することができる。これにより、作業者からの死角がなくなって、作業者がロボット２に対してどの位置にいても、ロボット２の動作モードを確認することができる。また、ロボット２の前腕５がどの姿勢に配置されていても作業者がロボット２の動作モードを確認することができるという利点がある。
【００４４】
さらに、本実施形態においては、ベース部６を粘着テープ９によってロボット２の外表面に接着するだけで固定しているので、ロボット２の構成部品に、表示装置４を装着するための専用設計を行う必要がなく、コストを大幅に削減することができる。また、表示装置４をロボット２の外側から貼り付けるだけであり、装着および取り外しが容易である。これにより、ロボット２に取り付ける他の機器との位置関係等に応じてユーザが任意の場所を選んで装着することができる。
【００４５】
また、表示装置４に不具合が発生したときの保守が容易である。すなわち、不具合が発生したときにはベース部６に固定されたコネクタ８によりケーブル１０を切り離し、粘着テープ９を剥がすだけでロボット２から取り外すことができる。そして、新たな表示装置４を巻き付けて粘着テープ９で固定し、コネクタ８にケーブル１０を接続するだけで容易に交換することができる。
さらに、ロボット２に加工を施さずに済むので、既存のロボット２に表示装置４を装着して、簡易にロボットシステム１を構築することができるという利点もある。
【００４６】
なお、本実施形態に係るロボットシステム１においては、表示装置４として、テープ状のベース部６を備えるものを例示したが、これに代えて、ロボット２の外表面形状に倣って湾曲可能なものであれば、可撓性を有する任意形状のシート状であってもよい。また、ロボット２の前腕５の周方向に表示装置４を巻き付けることとしたが、これに代えて、上腕、エンドエフェクタ、旋回胴またはベース１１等のロボット２の任意の構成部品の外表面に貼り付けることにしてもよい。
【００４７】
また、ベース部６の長手方向に間隔をあけて複数のＬＥＤ光源７を配置したが、これに代えて、１以上のＬＥＤ光源７が備えられていればよい。ＬＥＤ光源７が少ない場合、図５に示されるように、光を散乱する性質を有し可撓性を有する樹脂によって構成されたカバー１２を、ベース部６の長手方向に沿ってＬＥＤ光源７を被覆する位置に配置することにしてもよい。これにより、各ＬＥＤ光源７から発せられた光が、カバー１２内を散乱しながら導光されるので、ＬＥＤ光源７が死角となっている作業者もカバー１２によって散乱された光を容易に視認することができる。すなわち、少ないＬＥＤ光源７でも死角をなくすことができるという利点がある。
【００４８】
カバー１２としては、光を散乱する性質を有し可撓性を有する樹脂によって構成されたに代えて、ベース部６の長手方向に沿って複数配列されたＬＥＤ光源７を被覆する透明な弾性材料からなるカバーを採用してもよい。これにより、ＬＥＤ光源７の外部の物体との接触による破損を防止することができる。
【００４９】
また、本実施形態においては、ベース部６をロボット２の外表面に固定する固定具として粘着テープ９を採用したが、これに代えて、テープ状のベース部６に、スナップフィット等のロック機構を設け、前腕５の外周に巻き付けた後に、ベース部６の一部を該ベース部６に固定することで、ホースバンドのように、前腕５の外周に縛り付けるようなものを採用してもよい。
【００５０】
また、ＬＥＤ光源７から発せられる光を透過する弾性材料からなるカバー１３により固定具を構成してもよい。これにより、カバー１３の弾発力によってベース部６をロボット２の外表面に固定することができる。
【００５１】
例えば、カバー１３が、ロボット２の手首１４を通過させる大きさまで拡張可能かつ前腕５の外周寸法より短くなるまで収縮可能な環状に形成されていてもよい。
表示装置４をロボット２の前腕５に固定する場合に、ベース部６を湾曲させて前腕５に巻き付けた状態で、図６に示されるように、カバー１３を拡張させる方向に力を加えて手首１４を通過可能な大きさまで拡張させ、図７に示されるようにロボット２の手首１４を通過させ、表示装置４のベース部６を被覆する位置でカバー１３に加えていた力を解放することにより、図８に示されるように、カバー１３を弾性復元力によって収縮させて、ベース部６を前腕５の外表面に押し付けて固定することができる。これにより、カバー１３によって被覆された表示装置４が、前腕５の外表面に取付状態に保持される。
【００５２】
また、カバー１３を装着することにより、凹凸形状の急激な変化を鈍らせ、比較的滑らかな凹凸形状にすることができる。これにより、この部位が人と接触した場合においても、エッジ部位にて人が負傷するリスクをさらに低減することができる。また、カバー１３は、表示装置４を周辺機器との衝突から保護する効果も備えており、カバー１３が周辺機器と衝突し、カバー１３が破損したとしても、カバー１３だけを容易に交換することができる。
【００５３】
また、図９に示されるように、ロボット２の前腕５等の外表面に１以上のネジ孔１５を設け、表示装置４のベース部６に貫通孔１６を設けておくことにより、固定具としてネジ孔１５に締結されるネジ１７を採用してもよい。
すなわち、図１０に示されるように、ベース部６の貫通孔１６を貫通させたネジ１７をネジ孔１５に締結することにより表示装置４を簡易かつ確実にロボット２の外表面に固定することができる。
【００５４】
また、図５に示すベース部６とカバー１２の両方に貫通孔１６を備え、ネジ１７でロボット２の外表面のネジ孔１５に共締めして固定することもできる。
ネジ１７を採用する場合には、ロボット２の外表面にネジ孔１５を加工する必要があるが、最小限の加工で足り、上記と同様の効果を奏することができる。
【００５５】
また、図１１に示されるように、表示装置４が装着されるロボット２の外表面に、ベース部６を収容可能な大きさの溝（凹部）１８が設けられていてもよい。これにより、図１２に示されるように、装着された表示装置４をロボット２の外表面から大きく突出させずに済み、ＬＥＤ光源７が外部の物体に接触する機会を低減して、表示装置４を健全な状態に維持することができる。なお、図１３に示されるように、ＬＥＤ光源７を被覆する弾性材料からなるカバー１３をさらに設け、ＬＥＤ光源７を保護することにしてもよい。
【００５６】
また、本実施形態においては、発光部としてＬＥＤ光源７を用いたが、他の任意の光源を採用してもよい。また、ＬＥＤ光源７として複数色発光可能なものを採用したが、単色発光可能なものを採用してもよい。この場合、ＬＥＤ光源７の異なる動作パターンによって、動作モードを区別することにすればよい。また、異なる色の光を単色発光可能な複数の表示装置４を並べて固定することにしてもよい。
【００５７】
また、表示装置４への電力供給を行うケーブル１０については、ロボット２の内部空間を通って配線されることにより、周辺機器に接触しないようにすることが好ましい。
また、本実施形態におけるロボット２としては、協働ロボットではない標準の産業用ロボットの前腕５に最初から配線用のケーブル１０の穴を設けておいて、該穴に貫通させてケーブル１０を配線することによって協働ロボットとしてもよい。
【００５８】
また、表示装置４は、ロボット２の出荷時にロボット２に添付して出荷され、ユーザへの納入後に、ユーザがロボット２の前腕５の外表面等に巻き付ける部位を選択可能とすることが好ましい。
また、協働ロボットを例示して説明したが、これに限定されるものではなく、他の任意のロボットに適用してもよい。また、本実施形態におけるロボット２としては、協働ロボットではない標準の産業用ロボットに表示装置４を追加して、協働ロボットに改造してもよい。
【００５９】
また、本実施形態においては、表示部としてＬＥＤ光源７を用いたものを例示したが、これに代えて、液晶表示部またはスピーカ等の任意のものを採用してもよい。
また、図５に示すカバー１２または図７に示すカバー１３は、表示部が発光部であるＬＥＤ光源７の場合に限って用いられるものではなく、液晶表示部またはスピーカ等の任意の物に対して採用してもよい。
また、ＬＥＤ光源７の色や点灯、消灯のパターンは、必ずしも前述したものに限られるものではなく、色も様々なものを採用してもよい。
【符号の説明】
【００６０】
１  ロボットシステム
２  ロボット
３  制御装置
４  表示装置
５  前腕（アーム）
６  ベース部
７  ＬＥＤ光源（ＬＥＤ、発光部、表示部）
８  コネクタ
９  粘着テープ（粘着材、固定具）
１０  ケーブル
１２  カバー
１３  カバー（固定具）
１４  手首
１５  ネジ孔
１６  貫通孔
１７  ネジ（固定具）
１８  溝（凹部）
【図１】
2019171528.tif 000003
【図２】
2019171528.tif 000004
【図３】
2019171528.tif 000005
【図４】
2019171528.tif 000006
【図５】
2019171528.tif 000007
【図６】
2019171528.tif 000008
【図７】
2019171528.tif 000009
【図８】
2019171528.tif 000010
【図９】
2019171528.tif 000011
【図１０】
2019171528.tif 000012
【図１１】
2019171528.tif 000013
【図１２】
2019171528.tif 000014
【図１３】
2019171528.tif 000015